(57)【要約】【課題】複数の容器を並列連結する際に、横方向、あるいは上下方向から連結でき、複数の容器を横方向にも縦方向にも連結できる自由度が高く、且つ、分離が容易な並列用容器の提供を目的とする。【解決手段】底部の周囲から立設した周壁と、周壁の上部より外側に延在した鍔部を有する並列用容器であって、並列用容器の鍔部の一辺に連結凹部を有し、他の鍔部の辺に連結凸部を有し、一の並列用容器の連結凹部と、他の並列用容器の連結凸部とを連結及び分離可能にしたことを特徴とする。【選択図】  図１
0003152770.tif 000002
【実用新案登録請求の範囲】
【請求項１】
底部の周囲から立設した周壁と、周壁の上部より外側に延在した鍔部を有する並列用容器であって、
並列用容器の鍔部の一辺に連結凹部を有し、他の鍔部の辺に連結凸部を有し、一の並列用容器の連結凹部と、他の並列用容器の連結凸部とを連結及び分離可能にしたことを特徴とする並列用容器。
【請求項２】
前記連結凹部は、上部に差し込み間隙部を有し、前記連結凸部は下に向けて垂下した差し込み突片を有していることを特徴とする請求項１記載の並列用容器。
【請求項３】
前記連結凹部は水平方向の差し込み間隙部を有し、前記連結凸部は水平方向に差し込むための差し込み突片を有していることを特徴とする請求項１記載の並列用容器。
【考案の詳細な説明】
【技術分野】
【０００１】
この考案は、複数の容器を並列に連結することも、その後に分離することも可能な並列用容器に関する。
【背景技術】
【０００２】
ほたるいか、貝柱、小えび、ちりめんじゃこ等の小さな魚貝類を輸送、陳列するために樹脂製の比較的底の浅い容器が用いられている。
この種の容器は、小さな魚貝類等を漁港等の産地から輸送したり、パック詰めするのに用いられる。
輸送やパック詰め等の作業時には複数の容器を横に並列にした方が作業効率が高く、小売店等の店頭では一パック毎に陳列販売されるものである。
そこで、流通経路の便宜を図るために、例えば特許文献１に示すようなプラスチック製の並列折箱が用いられていた。
しかし、同公報に開示するような従来の並列折箱にあっては、複数の容器を一体成形にて横並びに連結しておき、漁港等で食品を詰めた後に、摘取り片を引きち切るように個々の容器を分離する際になかなか引きち切ることができない摘取り片も存在し、分離の作業性にやや問題があった。
【先行技術文献】
【特許文献】
【０００３】
【特許文献１】実開平６−６９１１５号公報
【考案の開示】
【考案が解決しようとする課題】
【０００４】
本考案は、複数の容器を並列連結する際に、横方向、あるいは上下方向から連結でき、複数の容器を横方向にも縦方向にも連結できる自由度が高く、且つ、分離が容易な並列用容器の提供を目的とする。
【課題を解決するための手段】
【０００５】
本考案は、底部の周囲から立設した周壁と、周壁の上部より外側に延在した鍔部を有する並列用容器であって、並列用容器の鍔部の一辺に連結凹部を有し、他の鍔部の辺に連結凸部を有し、一の並列用容器の連結凹部と、他の並列用容器の連結凸部とを連結及び分離可能にしたことを特徴とする。
ここで、連結凹部と連結凸部との位置関係は容器の対向する両側の鍔部に設けると一列、横並びに２個以上、必要に応じて３〜６個並列することができる。
また、連結凹部と連結凸部を容器の対向する横方向と縦方向のそれぞれに対応して２対設けると、横方向にも縦方向にも複数の容器を連結並列できるので連結方向の自由度が高くなる。
【０００６】
ここで、２つの容器を相互に連結及び分離できれば、連結凹部と連結凸部の連結構造に特に制限は無く、前記連結凹部は上部に差し込み間隙部を有し、前記連結凸部は下に向けて垂下した差し込み突片を有しているものでもよく、前記連結凹部は水平方向の差し込み間隙部を有し、前記連結凸部は水平方向に差し込むための差し込み突片を有しているものでもよい。
【考案の効果】
【０００７】
本考案にあっては、容器の一辺に形成した連結凹部の差し込み間隙部に他の容器の一辺に形成した連結凸部の差し込み突片を差し込むだけで複数の容器を横方向にでも縦方向にでも並列連結できる。
ここで、連結凹部の上部に差し込み間隙部を形成すると、複数の容器を横方向（水平方向）からでも上下方向（垂直方向）からでも連結あるいは分離ができる。
【図面の簡単な説明】
【０００８】
【図１】連結凹部の上部に差し込み部を形成した実施例を示す。
【図２】連結部の拡大図を示す。
【図３】横に並列した状態及び容器を段重ねにした状態例を示す。
【図４】容器を４つ、縦横に並列した状態例を示す。
【図５】容器の底部に目皿を配置した例を示す。
【図６】容器の側面図及び断面図を示す。
【図７】連結凹部に水平方向の差し込み部を形成した例を示す。
【図８】連結部の拡大図を示す。
【図９】連結部に係止部を形成した例を示す。
【図１０】容器を横に並列した例を示す。
【図１１】容器を縦横に並列した例を示す。
【考案を実施するための最良の形態】
【０００９】
図１に本考案に係る並列用容器の第１の実施例を示す。
並列用容器１０は、略水平底からなる底部１１の周囲から周壁１２を立設した、比較的に底の浅い容器になっている。
周壁１２の上部から外側に延在した鍔部１３を全周にわって形成してある。
これにより、図３（ｂ）に示すように段重ねにすることも可能である。
鍔部１３の対向する辺には、一方に連結凹部２０を形成し、他方の辺に連結凸部３０を形成してある。
【００１０】
連結部は対向する一対の辺にのみ形成してもよいが、本実施例では、残りの一対の対向辺にも連結凹部２１と連結凸部３１を形成した例になっている。
これにより、図１（ｃ）、図３、図４に示すように横方向のみならず縦方向にも複数の容器を並列できる。
【００１１】
図２に連結部の拡大図を示し、図２（ｃ）に連結方法例を示す。
連結凹部２０は鍔部の外側から垂下させた垂下片１４の下端付近から外側に折り返した水平部２０ａから、さらに上方向に折り返した垂直部２０ｂを形成し、この垂直部２０ｂの上端を内側に折り返した折返し部２０ｃを有する。
これにより、連結凹部２０の上部にスリット状の差し込み間隙部２０ｄが形成されるとともに、連結凸部３０に形成した差し込み突片の先端部を差し込み収容する収容空間部ｋを形成する。
連結凸部３０は鍔部１３の外側から垂下した垂下片１４の先端部は、差し込み方向傾斜部３０ａと、抜き方向傾斜部３０ｃとで断面略三角形状の頂部３０ａを有する係合凸部を形成する。
これにより、連結凸部３０の差し込み突片を連結凹部の差し込み間隙２０ｄに対して上下方向に差し込み又は逆に抜き取ることができる。
このときに垂直部２０ｂは、図２（ｃ）に示した矢印ｄの方向に弾性変形する。
なお、差し込み突片を水平方向からこの収容空間部ｋ差し込むことも可能である。
【００１２】
図５及び図６は底部に目皿１５を敷いた例を示し、図５（ａ）は平面図、（ｂ）は底面図を示す。
また、図６（ａ）〜（ｃ）は側面図、（ｄ）はＡ−Ａ線断面図を示す。
この実施例では補強リブ１２ａ，２０ｅ，３１ｅを設けた例となっている。
【００１３】
図７及び図８は、連結凹部２０Ａに水平方向の差し込み間隙２０ｄを形成した第２の実施例を示す。
連結部の拡大図を図８に示す。
鍔部１３の外側に設けた垂下片１４の下端部であって、周壁１２の外側から水平方向に突出させた水平片２０ｆの先端部から上下方向にそれぞれ垂直部２０ｉ、水平部２０ｈ、折返し部２０ｇを形成し、水平方向の差し込み間隙部２０ｄを形成した例になっている。
一方、連結凸部３０Ａは鍔部１３の垂下片１４の下部であって、周壁１２の外側から水平片３０ｆを形成し、この水平片３０ｆの先端部から上下方向に垂直部３０ｇを形成した差し込み突片になっていて、この差し込み突片を水平方向から差し込み間隙部２０ｄに差し込むことで複数の容器を並列連結でき、抜き出すことで分離できる。
この場合に図９に示すように一方が突起で他方が凹部の一対の係合部２０ｊ，３０ｊを形成すると連結時に係合し、安定する。
図１０は３つの容器を並列した例で、図１１は４つの容器を並列した例を示す。
【符号の説明】
【００１４】
１０      並列用容器
１１      底部
１２      周壁
１３      鍔部
１４      鍔垂下片
２０      連結凹部
３０      連結凸部
１００    並列容器
【図１】
0003152770.tif 000003
【図２】
0003152770.tif 000004
【図３】
0003152770.tif 000005
【図４】
0003152770.tif 000006
【図５】
0003152770.tif 000007
【図６】
0003152770.tif 000008
【図７】
0003152770.tif 000009
【図８】
0003152770.tif 000010
【図９】
0003152770.tif 000011
【図１０】
0003152770.tif 000012
【図１１】
0003152770.tif 000013